(57)【要約】      （修正有）【課題】歩幅が自然と広くなって全身の筋肉を使わせることができる履物を提供する。【解決手段】履物１は、踵骨を支持する踵骨支持部位Ｘより中足骨を支持する中足骨支持部位Ｙが高い位置に形成した履物１であって、履物１の底部の歩行面の側は、爪先部と、踵部と、この踵部と爪先部との間に位置する土踏まず部とを有し、底部１０の長手方向に沿って下に凸となる略弧状の曲面をなした弧状部Ａが、少なくとも、爪先部に形成され、歩行面２に弧状部Ａの外周が当接して移動する際、弧状部Ａは変形しないように硬く形成されているものである。【選択図】図６
0003130726.tif 000002
【実用新案登録請求の範囲】
【請求項１】
踵骨を支持する踵骨支持部位より中足骨を支持する中足骨支持部位が高い位置に形成した履物であって、
前記履物の底部の歩行面の側は、爪先部と、踵部と、この踵部と前記爪先部との間に位置する土踏まず部とを有し、
前記底部の長手方向に沿って下に凸となる略弧状の曲面をなした弧状部が、少なくとも、前記爪先部に形成され、
歩行面に前記弧状部の外周が当接して移動する際、前記弧状部は変形しないように硬く形成されている
ことを特徴とする履物。
【請求項２】
踵骨を支持する踵骨支持部位より中足骨を支持する中足骨支持部位が高い位置に形成した履物であって、
前記履物の底部の歩行面の側は、爪先部と、踵部と、この踵部と前記爪先部との間に位置する土踏まず部とを有し、
前記底部の長手方向に沿って下に凸となる略弧状の曲面をなした弧状部が、少なくとも、前記爪先部に形成され、
前記底部は、足が当接するインソールと、歩行面に当接するアウトソールと、このアウトソールと前記インソールとの間に位置すると共に、前記アウトソール及び前記インソールより硬い素材で形成された中間部材とで形成され、
歩行面に前記弧状部の外周が当接して移動する際、前記弧状部は変形しないように硬く形成されている
ことを特徴とする履物。
【請求項３】
インソールは、エチレン−酢酸ビニル共重合体であり、
中間部材は、ポリカーボネートであり、
アウトソールは、エチレン−酢酸ビニル共重合体である
ことを特徴とする請求項２記載の履物。
【請求項４】
足の土踏まずが当接する履物の表面の部位が上に向かって凸となる形状であることを特徴とする請求項２又は３記載の履物。
【考案の詳細な説明】
【技術分野】
【０００１】
本考案は、履物に係り、特に、歩幅が自然と広くなって全身の筋肉を使わせることができる履物に関する。
【背景技術】
【０００２】
爪先立ち歩きにより、アキレス腱及び臀部の筋肉を緊張させるように、踵部を切除した履物がある（例えば、特許文献１参照）。
しかしながら、上記履物は、爪先立ち歩きのため、負担がかかり長時間履き続けることが困難で、持続性に問題点があった。
【特許文献１】実用新案登録第３００３７０７号公報（図２）
【考案の開示】
【考案が解決しようとする課題】
【０００３】
本考案は、前記した問題点を除去するようにした履物を提供することを目的としている。
【課題を解決するための手段】
【０００４】
前記した目的を達成するための請求項１記載の履物は、踵骨を支持する踵骨支持部位より中足骨を支持する中足骨支持部位が高い位置に形成した履物であって、前記履物の底部の歩行面の側は、爪先部と、踵部と、この踵部と前記爪先部との間に位置する土踏まず部とを有し、前記底部の長手方向に沿って下に凸となる略弧状の曲面をなした弧状部が、少なくとも、前記爪先部に形成され、歩行面に前記弧状部の外周が当接して移動する際、前記弧状部は変形しないように硬く形成されているものである。
【０００５】
また、請求項２記載の履物は、踵骨を支持する踵骨支持部位より中足骨を支持する中足骨支持部位が高い位置に形成した履物であって、前記履物の底部の歩行面の側は、爪先部と、踵部と、この踵部と前記爪先部との間に位置する土踏まず部とを有し、前記底部の長手方向に沿って下に凸となる略弧状の曲面をなした弧状部が、少なくとも、前記爪先部に形成され、前記底部は、足が当接するインソールと、歩行面に当接するアウトソールと、このアウトソールと前記インソールとの間に位置すると共に、前記アウトソール及び前記インソールより硬い素材で形成された中間部材とで形成され、歩行面に前記弧状部の外周が当接して移動する際、前記弧状部は変形しないように硬く形成されているものである。
【０００６】
また、請求項３記載の履物は、請求項２記載の履物において、インソールは、エチレン−酢酸ビニル共重合体であり、中間部材は、ポリカーボネートであり、アウトソールは、エチレン−酢酸ビニル共重合体である。
【０００７】
また、請求項４記載の履物は、請求項２又は３記載の履物において、足の土踏まずが当接する履物の表面の部位が上に向かって凸となる形状である。
【考案の効果】
【０００８】
請求項１記載の履物によれば、踵骨を支持する踵骨支持部位より中足骨を支持する中足骨支持部位が高い位置に形成した履物を使用するため、坂道を歩く状態を意図的に作り、歩行者に軽い負荷を与えて、運動量を増加させ、しかも、履物の底部は、前記底部の長手方向に沿って略弧状の曲面をなした弧状部が、少なくとも、爪先部に形成され、歩行面に前記弧状部の外周が当接して移動する際、前記弧状部が変形しないように硬く形成されているため、前記弧状部の外周に沿って、言わば、シーソー状態で歩行面を移動することとなり、歩行に勢いが付き、歩幅が自然と広くなって全身の筋肉を使わせることができる。
【０００９】
また、請求項２記載の履物によれば、踵骨を支持する踵骨支持部位より中足骨を支持する中足骨支持部位が高い位置に形成した履物を使用するため、坂道を歩く状態を意図的に作り、歩行者に軽い負荷を与えて、運動量を増加させ、しかも、履物の底部は、前記底部の長手方向に沿って略弧状の曲面をなした弧状部が、少なくとも、爪先部に形成され、歩行面に前記弧状部の外周が当接して移動する際、前記弧状部が変形しないように硬く形成されているため、前記弧状部の外周に沿って、言わば、シーソー状態で歩行面を移動することとなり、歩行に勢いが付き、歩幅が自然と広くなって全身の筋肉を使わせることができ、更に、歩行面に弧状部の外周が当接して移動する際、前記弧状部は変形しないように硬く形成されているものの、インソール及びアウトソールを中間部材より柔らかい素材で形成しているため、足への衝撃を吸収して足への衝撃への負担を軽減化することができる。
【００１０】
また、請求項４記載の履物によれば、上述した請求項２又は３記載の考案の効果に加え、歩行面に弧状部の外周が当接して移動する際、前記弧状部が変形しないように硬く形成されているため、前記弧状部の外周に沿って、言わば、シーソー状態で歩行面を移動することと相俟って、硬い素材で形成された中間部材により保持された足の土踏まずが当接する履物の表面の部位が上に向かって凸となる形状により、足の土踏まずへの刺激を効果的に作用させることができる。
【考案を実施するための最良の形態】
【００１１】
本考案の一実施例の履物を図面を参照して説明する。
図１〜図７において、１は履物で、履物１は、例えば、室内用のサンダルで、この履物１は、図６に示すように、踵骨を支持する踵骨支持部位Ｘより中足骨を支持する中足骨支持部位Ｙが高い位置に形成されている。
これは、坂道を歩く状態を意図的に作り、歩行者に軽い負荷を与えて、運動量を増加させるためである。
【００１２】
履物１の底部１０は、履物１の底部の歩行面の側は、爪先部１０ａと、踵部１０ｂと、この踵部１０ｂと爪先部１０ａとの間に位置する土踏まず部１０ｃとを有し、底部１０の長手方向に沿って下に凸となる略弧状の曲面をなした弧状部Ａ（例えば、床）が、少なくとも、爪先部１０Ａに形成され、歩行面２に弧状部Ａの外周が当接して移動する際、弧状部Ａは変形しないように硬く形成されているものである（図１、図６及び図７参照）。
また、図１のＤは、足の土踏まずが当接する履物１の表面の部位が上に向かって凸となる形状の部位を示している。
【００１３】
なお、底部１０は、図２乃至図５に示すように、足が当接するインソール１０ａと、歩行面２に当接するアウトソール１０ｂと、このアウトソール１０ｂとインソール１０ａとの間に位置すると共に、アウトソール１０ｂ及びインソール１０ａより硬い素材で形成された中間部材１０ｃとで形成されている。
なお、インソール１０ａは、例えば、エチレン−酢酸ビニル共重合体であり、アウトソール１０ｂは、エチレン−酢酸ビニル共重合体であり、中間部材１０ｃは、インソール１０ａ及びアウトソール１０ｂより硬いポリカーボネートである。
【００１４】
また、図１に示す２０、２０’は、前側バンドで、前側バンド２０、２０’の内、一方の前側バンド２０の裏面に面状ファスナー２１が、他方の前側バンド２０’の表面に面状ファスナー２１’が、それぞれ設けられ、使用者の大きさに合うようになっている。
また、３０は後側バンドで、後側バンド３０は、金具４０を介して折り返され、折り返された後側バンド３０の先端の裏面に面状ファスナー３１が、折り返されない後側バンド３０の中途の表面に面状ファスナー３１’が、それぞれ設けられ、使用者の大きさに合うようになっている。
【００１５】
従って、上述した履物１によれば、踵骨を支持する踵骨支持部位Ｘより中足骨を支持する中足骨支持部位Ｙが高い位置に形成した履物１を使用するため、坂道を歩く状態を意図的に作り、歩行者に軽い負荷を与えて、運動量を増加させ、しかも、履物１の底部１０の歩行面２の側は、爪先部１０Ａと、踵部１０Ｂと、この踵部１０Ｂと爪先部１０Ａとの間に位置する土踏まず部１０Ｃとを有し、底部１０の長手方向に沿って下に凸となる略弧状の曲面をなした弧状部Ａが、少なくとも、爪先部１０Ａの間に形成され、歩行面２に弧状部Ａの外周が当接して移動する際、弧状部Ａは変形しないように硬く形成されているため、弧状部Ａの外周に沿って、言わば、シーソー状態で歩行面２を移動することとなり、歩行に勢いが付き、歩幅が自然と広くなって全身の筋肉を使わせることができる。
特に、歩行面２に弧状部Ａの外周が当接して移動する際、弧状部Ａは変形しないように硬く形成されているものの、インソール１０ａ及びアウトソール１０ｂを中間部材１０ｃより柔らかい素材で形成しているため、足への衝撃を吸収して足への衝撃への負担を軽減化することができる。
また、歩行面２に弧状部Ａの外周が当接して移動する際、弧状部Ａが変形しないように硬く形成されているため、弧状部Ａの外周に沿って、言わば、シーソー状態で歩行面２を移動することと相俟って、硬い素材で形成された中間部材１０ｃにより保持された足の土踏まずが当接する履物１の表面の部位が上に向かって凸となる形状（図１のＤ参照）により、足の土踏まずへの刺激を効果的に作用させることができる。
【図面の簡単な説明】
【００１６】
【図１】図１は、本考案の一実施例の履物の概略的側面図である。
【図２】図２は、図１の履物の概略的断面図である。
【図３】図３は、図２の３−３線の概略的断面図である。
【図４】図４は、図２の４−４線の概略的断面図である。
【図５】図５は、図１の履物の概略的分解斜視図である。
【図６】図６は、図１の履物の使用状態の概略的側面図である。
【図７】図７は、図１の履物の使用状態の概略的側面図である。
【符号の説明】
【００１７】
１      …………履物
２      …………歩行面
１０    …………底部
１０Ａ  …………爪先部
１０Ｂ  …………踵部
１０Ｃ  …………土踏まず部
Ｘ      …………踵骨支持部位
Ｙ      …………中足骨支持部位
Ａ      …………弧状部
【図１】
0003130726.tif 000003
【図２】
0003130726.tif 000004
【図３】
0003130726.tif 000005
【図４】
0003130726.tif 000006
【図５】
0003130726.tif 000007
【図６】
0003130726.tif 000008
【図７】
0003130726.tif 000009